(57)【要約】【課題】刃材やシートの切り口に糊が付着しにくく、しかも切れ味にすぐれたシートカッターを開発する。【解決手段】いわゆるギロチン式のシートカッターにおいて、可動刃及び／又は固定刃の相手方の刃に面する内側面に、刃先に沿って長さ方向に溝を設ける。糊の付いたシートを切断した場合、糊が可動刃及び固定刃の内側面（相手方の刃に面する面）に付着するが、可動刃が移動して切り進むにつれて、糊は溝で擦り取られ、溝の中に溜まり、刃材の溝以外の部分やシートの切り口にはほとんど付着しない。【選択図】      図３
2004298989.tif 000002
【特許請求の範囲】
【請求項１】
固定刃と、該固定刃に沿って移動可能な可動刃とを有し、固定刃に対して可動刃をスライドさせ、相互に噛み合った刃先でシート材を切断するギロチン式のシートカッターにおいて、前記可動刃及び／又は固定刃の相手方の刃に面する内側面に、刃先に沿って長さ方向に溝を設けたことを特徴とするシートカッター
【請求項２】
請求項１のシートカッターにおいて、前記可動刃及び／又は固定刃の刃先に第一刃先面と第二刃先面とを設け、第一刃先面は可動刃及び／又は固定刃の刃先から続いて可動刃移動方向に対してα度で傾斜し、第二刃先面は第一刃先面の終端から続いて可動刃移動方向に対して、α度より小さなβ度で傾斜し、第二刃先面に非粘着性コーティング被膜を形成し、第一刃先面には該コーティング被膜を形成しないことを特徴とするシートカッター
【発明の詳細な説明】
【０００１】
【発明の属する技術分野】
本発明は、各種バーコード、ラベルプリンターなどの機器に搭載するシートカッターに関し、特にラベル紙などの糊の付いたシートの切断に用いて好適なシートカッターに関する。
【０００２】
【従来の技術】
近年、送り先ラベル、商品名ラベル、バーコードラベル、価格ラベルなどのラベル紙は台紙を用いない、いわゆるライナーレスが増えている。ライナーレスのラベル紙は片面が糊を塗布した糊面となっているので、これをシートカッターで切断すると、刃材（可動刃又は固定刃）に糊が付着してカッターの作動が不安定になるという問題がある。
【０００３】
特開２０００−１９０２８０号公報に開示されるように、従来、ラベル紙などの糊付のシート材を切断するシートカッターは、刃材に非粘着性のコーティングを施すことで対応していた。非粘着性のコーティングは、熱硬化性ケイ素系ポリマーコーティング、フッ素樹脂系コーティング、セラミックコーティングなどである。
【０００４】
図５、６は従来のコーティングを施した刃材の説明図で、図５は刃材３０の刃先面３１、相手方の刃材と接する内側面３２及び外側面３３にコーティング被膜を形成している。図６は刃材３０の、相手方の刃材と接する内側面３２を除き、刃先面３１と外側面３３にコーティング被膜を形成している。
【０００５】
【発明が解決しようとする課題】
図５のように、刃先面３１、内側面３２及び外側面３３にコーティング被膜を形成した刃材を用いたシートカッターは、刃材３０自体には糊が付着しにくいのであるが、コーティングによって切れ味が悪くなり、シートの切り口部分が直線ではなくギザギザになったり、糊が糸を引いてシートの切り口部分に付着するなどの問題があった。そこで、図６に示すように、刃材の切れ味を改善する目的で、刃先面３１と外側面３３にコーティング被膜を形成し、内側面３２にはコーティング被膜を形成しない刃材を用いたが、コーティングを刃先で完全に止めることは難しく、どうしても内側面側にはみ出したいわゆる、ダレ３４が生じるため、やはり切れ味には問題があり、更に、コーティング被膜を形成しない内側面に糊が付着し、カッターの動作に支障をきたすことがあった。
【０００６】
本発明は、刃材やシートの切り口に糊が付着しにくく、しかも切れ味にすぐれたシートカッターを開発することを課題としてなされたものである。
【０００７】
【課題を解決するための手段】
本願の請求項１の発明は、いわゆるギロチン式のシートカッターにおいて、可動刃及び／又は固定刃の相手方の刃に面する内側面に、刃先に沿って長さ方向に溝を設けたことを特徴とするシートカッターである。
【０００８】
本願の請求項２の発明は、請求項１のシートカッターにおいて、前記可動刃及び／又は固定刃の刃先に第一刃先面と第二刃先面とを設け、第一刃先面は可動刃及び／又は固定刃の刃先から続いて可動刃移動方向に対してα度で傾斜し、第二刃先面は第一刃先面の終端から続いて可動刃移動方向に対して、α度より小さなβ度で傾斜し、第二刃先面に非粘着性コーティング被膜を形成し、第一刃先面には該コーティング被膜を形成しないことを特徴とするシートカッターである。
【０００９】
本発明のギロチン式のシートカッターにおいては、可動刃及び／又は固定刃（好ましくは可動刃及び固定刃の双方）の内側面に、刃先に沿って刃の長さ方向に溝を設ける。溝は、なるべく刃先に近接して設けるのがよく、刃先から０．２〜３ｍｍ位、更に好ましくは０．３〜１．０ｍｍ位離れた位置に設けるのが適当である。溝の深さは刃材の厚さにもよるが、例えば刃材の厚さが１．２ｍｍの場合には０．３〜０．６ｍｍ位が適当である。溝の幅は特に制限はないが、２〜６ｍｍ程度が適当である。糊の付いたシートを切断した場合、糊が可動刃及び固定刃の内側面（相手方の刃に面する面）に付着するが、可動刃が移動して切り進むにつれて、糊は溝で擦り取られ、溝の中に溜まり、刃材の溝以外の部分やシートの切り口にはほとんど付着しない。溝は可動刃又は固定刃のどちらか一方に設けるても、前記の一応の効果を奏する、可動刃と固定刃の双方に設けると、著しい効果を得ることができる。
【００１０】
可動刃及び／又は固定刃の刃先面に第一刃先面と第二刃先面とを設け、第二刃先面に非粘着性コーティング被膜を形成すると、その作用で刃先面に糊が付着しにくくなり、前記のように糊が溝で擦り取られる傾向がますます大きくなる。また、ライナーレスのラベルで糊面が露出したシートを切断しても、刃先が糊面にくっつかない。したがって、このような刃先加工はライナーレスのラベルの糊面に面する側の刃材に施すのがよい。もちろん、可動刃・固定刃の双方の刃先に施しても良い。第一刃先面及び内側面はコーティング被膜を形成しないのがよい。これにより、刃先にコーティングがダレるのを完全に防止でき、刃の切れ味を確保できる。第一刃先面の傾斜α度より第二刃先面の傾斜β度を小さくすると、削り加工によってコーティング被膜のない第一刃先面を容易に形成できる。第一刃先面の傾斜α度は、６５〜８５度程度とするのが刃の切れ味が良く好適である。第二刃先面の傾斜β度は、５０〜７０度程度が好適である。第一刃先面の幅はなるべく狭くするのが良く、０．１〜０．６ｍｍ程度とするのが望ましい。
【００１１】
【発明の実施の形態】
以下、図面に基づいて本発明の実施例を説明する。図１は実施例のシートカッター１の正面説明図、図２はシートカッター１の背面説明図、図３はシートカッター１の可動刃及び固定刃の刃先部分の断面説明図、図４は可動刃の刃先の形成方法の説明図である。
【００１２】
シートカッター１は可動刃２と固定刃１０を有する。可動刃２は概略Ｖ字形の刃先を有する厚さ１．２ｍｍの板状の刃材で、その両端に案内部９が設けられており、図示しない圧接手段、駆動手段により固定刃１０に圧接しながら上下方向に移動し、固定刃との間に供給されるシートを切断する。固定刃に面する側の内側面４には、刃先６に沿って、全長にわたって、刃の長さ方向の溝３が設けられている。溝３と刃先６とは０．５ｍｍの距離に近接している。溝３の深さは０．５ｍｍ、幅は３ｍｍである。溝３は必ずしも刃材の全長にわたって設ける必要はないが、切断有効幅（切断するシートの最大幅）にわたって設けることが望ましい。
【００１３】
可動刃２の刃先面は刃先６に続く第一刃先面７と、その終端から続く第二刃先面８からなる。図２に示すように、第一刃先面が可動刃の移動方向（この場合は垂直方向）となす角度はα度、第二刃先面が可動刃の移動方向となす角度はβ度であり、α＞βとなっている。この場合はαは８５度、βは６０度である。
【００１４】
可動刃２の第二刃先面８には非粘着性のコーティング被膜が形成されている。非粘着性のコーティング剤としては、フッ素樹脂系コーティング剤など、周知のものを使用できる。第二刃先面８以外の部分、すなわち、第一刃先面７、内側面４、外側面５、溝３にはコーティング被膜は形成されていない。
【００１５】
可動刃２の刃先部分は、図３に示すように、先ず刃先面のほぼ全体をβ度で削り加工して第二刃先面８を形成し、この面にコーティング処理を行ってコーティング被膜を形成し、次に、削り加工により、鎖線２１で示した上の部分を削り取って第一刃先面７を形成する。このようにすることで、コーティング被膜を有しない第一刃先面を容易に形成することができる。
【００１６】
固定刃１０は、真っ直ぐな刃先を有する板状の刃材で、フレームなどの支持部材に固定されている。固定刃１０の可動刃に面する側の内側面１３には、刃先１２に沿って、全長にわたって、刃の長さ方向の溝１１が設けられている。溝１１と刃先１２とは０．３ｍｍの距離に近接している。溝１１の深さは０．５ｍｍ、幅は３ｍｍである。溝１１は必ずしも刃材の全長にわたって設ける必要はないが、切断有効幅（切断するシートの最大幅）にわたって設けることが望ましい。固定刃１０にはコーティング被膜は形成されていない。これは、シート２０の糊面が下側の面であり、固定刃の刃先に糊が付着する可能性が少ないからである。しかし、固定刃の刃先にコーティング被膜を形成することは一向に差し支えなく、その場合は、前記の可動刃の刃先と同様の構成とすることが望ましい。
【００１７】
図３に示すシート２０はライナーレスのラベル紙で、下側が糊面となっている。同図の状態から可動刃２が上昇し、可動刃２の刃先と固定刃１０の刃先でシート２０を切断する。シート２０の下面に塗布されている糊は切断に際して可動刃２に付着して可動刃の内側面に沿って移動するが、可動刃の溝３及び固定刃の溝１１によって擦り取られ、溝３、１１内に溜まる。溝３、１１内に溜まった糊は、定期的に又は適宜のタイミングで取り除けばよい。可動刃及び固定刃の溝以外の部分にはほとんど糊は付着しない。また、切断したラベル紙の切り口にもほとんど糊は付着しない。また、可動刃及び固定刃の刃先にはコーティング被膜がないので、切れ味良くラベル紙をきれいに切断できる。
【００１８】
【発明の効果】
本発明のシートカッターは、シートに塗布された糊が刃材に設けた溝で擦り取られ、糊は溝の中に溜まり、刃材の溝以外の部分やシートの切断部分にはほとんど付着しない。したがって、刃材に糊が付着してカッターの作動が不安定になったり、シートの切り口に糊が付着して切り口が汚くなるのを防止できる。また、刃先面に第一刃先面と第二刃先面を形成し、第二刃先面のみにコーティング被膜を設けたので、刃の切れ味にすぐれ、切り口がきれいなシート切断が可能となる。
【図面の簡単な説明】
【図１】実施例のシートカッター１の正面説明図である。
【図２】シートカッター１の背面説明図である。
【図３】シートカッター１の可動刃及び固定刃の刃先部分の断面説明図である。
【図４】可動刃の刃先の形成方法の説明図である。
【図５】従来の刃材のコーティング被膜の説明図である。
【図６】従来の刃材のコーティング被膜の説明図である。
【符号の説明】
１  シートカッター
２  可動刃
３  溝
４  内側面
５  外側面
６  刃先
７  第一刃先面
８  第二刃先面
９  案内部
１０  固定刃
１１  溝
１２  刃先
１３  内側面
２０  シート
３０  刃材
３１  刃先面
３２  内側面
３３  外側面
３４  ダレ
【図１】
2004298989.tif 000003
【図２】
2004298989.tif 000004
【図３】
2004298989.tif 000005
【図４】
2004298989.tif 000006
【図５】
2004298989.tif 000007
【図６】
2004298989.tif 000008